(57)【要約】      （修正有）【課題】装置間の信号の伝達に関し、一部分に光ケーブルを用いて光信号を伝達させることで中長距離の信号の伝達を可能とし、かつケーブルの着脱に際して光信号を漏洩させない信号伝送装置、及び電気機器の接続方法を提供すること。【解決手段】部屋１０の第１の壁１４に第１のターミナルボックス１６を取り付け、第２の壁１８に第２のターミナルボックス２０を取り付け、両者を部屋１０の壁面内に敷設された光ファイバケーブル１２で連結する。第１のターミナルボックス１６には、電気―光信号変換回路基板が配置され、第２のターミナルボックス２０には光―電気信号変換回路基板が配置されている。映像信号送出装置３０の電気ケーブル３２の電気プラグ３４は第１のターミナルボックス１６の電気コンセントに接続され、映像表示装置５０の電気ケーブル５２の電気プラグ５４は、第２のターミナルボックス２０の電気コンセントに接続される。【選択図】図１
2005039933.tif 000002
【特許請求の範囲】
【請求項１】
構造物の壁面内に配置され、光信号を伝達する光ファイバケーブルと、
前記壁面または前記壁面内に設けられ、前記光ファイバケーブルの接続部を壁面内側に備え、電気信号の接続部を壁面外側に備え、電気信号を光信号に変換する電気―光変換手段と、
前記電気―光変換手段とは離間した前記壁面または前記壁面内に設けられ、前記光ファイバケーブルの接続部を壁面内側に備え、電気信号の接続部を壁面外側に備え、光信号を電気信号に変換する光―電気変換手段と、
を有することを特徴とする信号伝送装置。
【請求項２】
前記壁面に設けられ、前記電気―光変換手段を壁面外側より着脱可能に取り付ける第１のターミナルボックスと、
前記壁面に設けられ、前記光―電気変換手段を壁面外側より着脱可能に取り付ける第２のターミナルボックスと、
を有することを特徴とする請求項１に記載の信号伝送装置。
【請求項３】
請求項１または請求項２に記載の信号伝送装置を用いた電気機器の接続方法であって、
電気信号を送信する送信手段を、電気ケーブルを介して前記電気―光変換手段の前記電気信号の接続部に接続し、
電気信号を受信する受信手段を、電気ケーブルを介して前記光―電気変換手段の前記電気信号の接続部に接続する、
ことを特徴とする電気機器の接続方法。
【発明の詳細な説明】
【技術分野】
【０００１】
本発明は、壁、床あるいは天井の壁面内に、電気―光信号変換手段および光―電気信号変換手段を設置し、これらの手段と接続される機器が、電気配線によって接続される信号伝送装置、及び電気機器の接続方法に関するものである。
【背景技術】
【０００２】
一方の電気機器から他方の電気機器に大容量の情報を伝達する方法として、光ファイバケーブルを用いて光信号を伝達する方法が、例えば、特許文献１、２等に記載されている。
【０００３】
特許文献１には光ファイバケーブルの壁面内での収容方法が記載されており、特許文献２にはコンセント状のターミナルボックスが記載されている。
【０００４】
これら公開された技術は、装置間の光信号伝送に用いられ、例えば屋内での光ファイバケーブルを敷設し接続される機器間に対して、壁面から取り出された光ファイバケーブルによって接続するものである。
【０００５】
即ち、これら技術は、単なる光ファイバケーブルの中継用接続コネクタの機能でしかない。
【０００６】
また、電気―光信号変換あるいは光―電気信号変換によって電気信号を伝送する技術においては、例えば特許文献３で開示されているように、これら機能をモジュール化しているものが多く開示されているが、実際に機器に接続されて使用される場合には、電気―光変換、あるいは光―電気変換することからもわかるように、元となる信号は電気信号である。
【特許文献１】特開２０００−３９５２６号
【特許文献２】特開２００３−９８３８３号
【特許文献３】特開平６−２０１９５１号
【発明の開示】
【発明が解決しようとする課題】
【０００７】
しかしながら、現状これらの装置を設置する場合には、光信号としてレーザ光を使用することが多く、人体特に目に対する安全性を考慮した屋内配線方法が不可欠である。
【０００８】
先に例として挙げたこれら先行技術においては、光ファイバケーブルの収容方法においては光信号はコンセント状のターミナルボックスから、そのまま出力される構成となっており、また、光送受信モジュールの先行技術においては、モジュール間を光ファイバケーブルで接続することから、光ファイバケーブルの着脱によってレーザ光が外部に漏れることになる。
【０００９】
これら光の漏出に対して、両技術ともに対策が必要となる。
【００１０】
本発明は上記事実を考慮し、装置間の信号の伝達に関し、一部分に光ケーブルを用いて光信号を伝達させることで中長距離の信号の伝達を可能とし、かつケーブルの着脱に際して光信号を漏洩させない信号伝送装置、及び電気機器の接続方法を提供することが目的である。
【課題を解決するための手段】
【００１１】
請求項１に記載の信号伝送装置は、構造物の壁面内に配置され、光信号を伝達する光ファイバケーブルと、前記壁面または前記壁面内に設けられ、前記光ファイバケーブルの接続部を壁面内側に備え、電気信号の接続部を壁面外側に備え、電気信号を光信号に変換する電気―光変換手段と、前記電気―光変換手段とは離間した前記壁面または前記壁面内に設けられ、前記光ファイバケーブルの接続部を壁面内側に備え、電気信号の接続部を壁面外側に備え、光信号を電気信号に変換する光―電気変換手段と、を有することを特徴としている。
【００１２】
次に、請求項１に記載の信号伝送装置の作用を説明する。
【００１３】
請求項１に記載の信号伝送装置では、例えば、電気信号を送信する送信手段を電気―光変換手段の電気信号の接続部に電気ケーブル等を介して接続し、電気信号を受信する受信手段を光―電気変換手段の電気信号の接続部に電気ケーブル等を介して接続する。
【００１４】
送信手段から送信された電気信号は、電気―光変換手段にて光信号に変換され、該光信号は、光ファイバケーブルの接続部に接続された光ファイバケーブルを介して光―電気変換手段側へ送信される。
【００１５】
光―電気変換手段では、光ファイバケーブルの接続部を介して光信号が受信され、該光信号が電気信号に変換され、受信手段は電気信号を受信することができる。
【００１６】
本発明の信号伝送装置を用いれば、壁面の外側においては、光信号を一切見ることが出来ないので、光としてエネルギーの高いレーザ光を使用した場合、人体、特に目に対する安全性が高い。
【００１７】
請求項２に記載の発明は、請求項１に記載の信号伝送装置において、前記壁面に設けられ、前記電気―光変換手段を壁面外側より着脱可能に取り付ける第１のターミナルボックスと、前記壁面に設けられ、前記光―電気変換手段を壁面外側より着脱可能に取り付ける第２のターミナルボックスと、を有することを特徴としている。
【００１８】
次に、請求項２に記載の信号伝送装置の作用を説明する。
【００１９】
請求項２に記載の信号伝送装置では、電気―光変換手段が壁面外側より着脱可能であり、光―電気変換手段も壁面外側より着脱可能であるため、電気―光変換手段、及び光―電気変換手段の修理、交換が容易になる。
【００２０】
請求項３に記載の発明は、請求項１または請求項２に記載の信号伝送装置を用いた電気機器の接続方法であって、電気信号を送信する送信手段を、電気ケーブルを介して前記電気―光変換手段の前記電気信号の接続部に接続し、電気信号を受信する受信手段を、電気ケーブルを介して前記光―電気変換手段の前記電気信号の接続部に接続する、ことを特徴としている。
【００２１】
次に、請求項３に記載の電気機器の接続方法の作用を説明する。
【００２２】
請求項１に記載の信号伝送装置では、電気信号を送信する送信手段を電気―光変換手段の電気信号の接続部に電気ケーブルを介して接続し、電気信号を受信する受信手段を光―電気変換手段の電気信号の接続部に電気ケーブルを介して接続することにより、送信手段から送信された電気信号は、電気―光変換手段にて光信号に変換され、該光信号は、光ファイバケーブルの接続部に接続された光ファイバケーブルを介して光―電気変換手段側へ送信される。
【００２３】
光―電気変換手段では、光ファイバケーブルの接続部を介して光信号が受信され、該光信号が電気信号に変換され、受信手段は電気信号を受信することができる。
【００２４】
本発明の電気機器の接続方法では、壁面の外側においては、光信号を一切見ることが出来ないので、光としてエネルギーの高いレーザ光を使用した場合、人体、特に目に対する安全性が高い。
【発明の効果】
【００２５】
以上説明したように本発明の信号伝送装置、及び電気機器の接続方法によれば、部屋の中では、電気ケーブルのみの電気的な接続のみとしているため、光信号、例えば、レーザ光の漏洩が無く、ユーザに対して安全である。また、装置の電気ケーブルを接続部に接続するのみで、簡単に信号の伝達を行なえる。しかも信号伝達経路の途中では、光信号を用いているので、例えば、中長距離で、かつデータ量の多い高品位な映像信号の伝達が可能となる。
【発明を実施するための最良の形態】
【００２６】
以下、図面を参照して本発明の実施の形態の一例を詳細に説明する。
【００２７】
図１に示すように、建造物の部屋１０の壁面内には、光信号を伝達する光ファイバケーブル１２が敷設されている。
【００２８】
部屋１０の第１の壁１４には、第１のターミナルボックス１６が取り付けられており、第２の壁１８には、第２のターミナルボックス２０が取り付けられている。
（第１のターミナルボックスの構成）
図２、及び図３に示すように、第１のターミナルボックス１６は、プレート２２が第１の壁１４の部屋側に配置され、ボックス本体２４がプレート２２の壁内側に配置されている。
【００２９】
ボックス本体２４は、図示しないビス等で第１の壁１４に固定されている。
【００３０】
プレート２２は、ボックス本体２４に図示しないビス等で取り付けられており、ボックス本体２４の開口部分を覆っている。
【００３１】
ボックス本体２４の内部には、電気信号を光信号に変換する電気―光信号変換回路基板２６が配置されている。
【００３２】
電気―光信号変換回路基板２６には、後述する映像信号送出装置３０の電気ケーブル３２の電気プラグ３４を接続する電気コンセント３６、レーザダイオード３８、レーザダイオード用アンプ４０、光ファイバケーブル１２の一方の光コネクタ・プラグ４２Ａを接続する光コネクタ・レセプタクル４４を備えている。
【００３３】
図４に示すように、電気コンセント３６は、プレート２２の孔３８を介して部屋側に露出している。
【００３４】
図２に示すように、光コネクタ・レセプタクル４４はボックス内にあるが、ボックス本体２４の孔４６から挿入された光コネクタ・プラグ４２Ａが着脱可能に接続されている。
【００３５】
なお、プレート２２を取り外すことにより、ボックス内部が開放され、電気―光信号変換回路基板２６は修理交換可能となる。
（第２のターミナルボックスの構成）
図５に示すように、第２のターミナルボックス２０も、第１のターミナルボックス１６と同様に、プレート２２、及びボックス本体２４を備えており、ボックス本体２４が図示しないビス等で第２の壁１８に固定されている。
【００３６】
ボックス本体２４の内部には、光信号を電気信号に変換する光―電気信号変換回路基板４８が配置されている。
【００３７】
光―電気信号変換回路基板４８には、後述する映像表示装置５０の電気ケーブル５２の電気プラグ５４を接続する電気コンセント５６、フォトダイオード５８、フォトダイオード用アンプ６０、光ファイバケーブル１２の他方の光コネクタ・プラグ４２Ｂを接続する光コネクタ・レセプタクル６２を備えている。
【００３８】
この電気コンセント５６も、プレート２２の孔３８を介して部屋側に露出している。
【００３９】
なお、第２のターミナルボックス２０において、プレート２２を取り外すことによりボックス内部が開放され、光―電気信号変換回路基板４８は修理交換可能となる。
【００４０】
部屋１０には、第１の壁１４際にパソコン等の映像信号送出装置３０が設置され第２の壁１８際には液晶ディスプレー、プラズマディスプレー等の映像表示装置５０が配置されている。
【００４１】
映像信号送出装置３０の電気ケーブル３２の電気プラグ３４は第１のターミナルボックス１６の電気コンセント３６に接続され、映像表示装置５０の電気ケーブル５２の電気プラグ５４は、第２のターミナルボックス２０の電気コンセント５６に接続されている。
（作用）
次に、本実施形態の作用を説明する。
【００４２】
映像信号送出装置３０から出力され、電気ケーブル３２、電気プラグ３４、第１のターミナルボックス１６の電気コンセント３６を介して入力した映像信号（電気信号）は、電気―光信号変換回路基板２６で光信号に変換される。
【００４３】
光信号は、レーザダイオード３８から出力され、光ファイバケーブル１２を介して光―電気信号変換回路基板４８のフォトダイオード５８に入力する。
【００４４】
光―電気信号変換回路基板４８では、入力した光信号を電気信号に変換する。
【００４５】
変換された電気信号（映像信号）は、第２のターミナルボックス２０の電気コンセント５６、電気プラグ５４、電気ケーブル５２を介して映像表示装置５０に入力する。
【００４６】
これによって、映像表示装置５０は、映像信号送出装置３０から出力された映像信号に基づいた映像を表示することができる。
本実施形態の電気機器の接続方法では、以下のような優れた効果がある。
（１）  部屋１０の中では、電気ケーブル３２、及び電気ケーブル５２のみの電気的な接続のみとしているため、ユーザに対して、人体、特に目に影響のあるレーザ光の漏洩が無い。
（２）  第１のターミナルボックス１６を映像信号送出装置３０の近傍に設置し、第２のターミナルボックス２０を映像表示装置５０の近傍に設置し、光ファイバケーブル１２を壁面内に設置したので、部屋１０の内部には、必要最小限のケーブル（電気ケーブル３２、及び電気ケーブル５２）しか見えず、部屋１０の美観が保たれる。
（３）  電気プラグ３４を第１のターミナルボックス１６の電気コンセント３６に接続し、電気プラグ５４を第２のターミナルボックス２０の電気コンセント５６に接続するのみで、簡単に信号の伝達を行なえる。しかも信号伝達経路の途中では、光信号を用いているので、中長距離で、かつデータ量の多い高品位な映像信号の伝達が可能となる。
（４）  プレート２２を取り外すと、電気―光信号変換回路基板２６、光―電気信号変換回路基板４８は部屋側に露出するので、電気―光信号変換回路基板２６、光―電気信号変換回路基板４８を容易に修理交換である。
【００４７】
なお、上記実施形態では、第１の壁１４に第１のターミナルボックス１６を取り付け、第２の壁１８に第２のターミナルボックス２０を取り付けたが、本発明はこれに限らず、第１のターミナルボックス１６、及び第２のターミナルボックス２０は、床、天井等に取り付けても良く、他の部屋の壁、床、天井等に取り付けても良い。
【００４８】
また、本実施形態では、一方の装置から他方の装置へ一方通行で信号を伝達する構成としたが、第１のターミナルボックス１６、及び第２のターミナルボックス２０にそれぞれ電気―光信号変換回路基板２６、及び光―電気信号変換回路基板４８を組み込み、第１のターミナルボックス１６と第２のターミナルボックス２０とを２本の光ファイバケーブル１２で接続すれば、信号を相互に送受信することも可能である。
【００４９】
また、本実施形態では、映像信号を扱う例を示したが、本発明はこれに限らず、音声信号等、信号の種類は何でも良く、宅内でのＰＣ（パソコン）間を接続するＬＡＮなどにも適用できる。
【図面の簡単な説明】
【００５０】
【図１】装置の接続及び配置を示す説明図である。
【図２】第１のターミナルボックスの断面図である。
【図３】第１のターミナルボックスの内部構成を示す壁内側から見た斜視図である。
【図４】第１のターミナルボックスの部屋側から見た斜視図である。
【図５】第２のターミナルボックスの断面図である。
【符号の説明】
【００５１】
１２    光ファイバケーブル
１４    壁
１６    第１のターミナルボックス
１８    壁
２０    第２のターミナルボックス
２６    電気―光信号変換回路基板（電気―光信号変換手段）
３０    映像信号送出装置
３２    電気ケーブル
３６    電気コンセント（電気信号の接続部）
４４    光コネクタ・レセプタクル（光信号の接続部）
４８    光―電気信号変換回路基板（光―電気信号変換手段）
５０    映像表示装置
５２    電気ケーブル
５６    電気コンセント（電気信号の接続部）
６２    光コネクタ・レセプタクル（光信号の接続部）
【図１】
2005039933.tif 000003
【図２】
2005039933.tif 000004
【図３】
2005039933.tif 000005
【図４】
2005039933.tif 000006
【図５】
2005039933.tif 000007